(57)【要約】　　　（修正有）【課題】連結部にばね部材を備え、バッテリ端子カバーの蓋部の開閉時の節度感向上と、ばね部材の跳ね上げ機能によるバッテリ端子カバーの蓋部の閉じ忘れ防止機能の向上とを図る。【解決手段】電線部とバッテリポール端子に接続される接続部とを備えたバッテリ端子の電線部を覆うベース部１６と、接続部を覆う蓋部１８と、この蓋部とベース部とを連結し、かつばね部材２８を備えた連結部２０とから構成されている。【選択図】　　　　図１
2004119340.tif 000002
【特許請求の範囲】
【請求項１】
電線部とバッテリポール端子に接続される接続部とを備えたバッテリ端子の前記電線部を覆うベース部と、前記接続部を覆う蓋部と、この蓋部とベース部とを連結し、かつばね部材を備えた連結部とから構成されたことを特徴とするバッテリ端子カバー。
【請求項２】
前記ばね部材は、蓋部とベース部とが係止された状態と、この係止状態が解除され自動的にバッテリ端子上方で停止した状態とがなす角度が９０度以上となるように設定されていることを特徴とする請求項１に記載のバッテリ端子カバー。
【発明の詳細な説明】
【０００１】
【発明の属する技術分野】
この発明はバッテリ端子カバーに係り、特に連結部にばね部材を備え、バッテリ端子カバーの蓋部の開閉時の節度感向上と、ばね部材の跳ね上げ機能によるバッテリ端子カバーの蓋部の閉じ忘れ防止機能の向上とを図るバッテリ端子カバーに関するものである。
【０００２】
【従来の技術】
バッテリポール端子に接続される接続部を有するバッテリ端子は、車体側との短絡を防止するために、バッテリ端子の電線部を覆うベース部と、バッテリ端子の前記接続部を覆う蓋部とを有するバッテリ端子カバーによって覆われている（例えば、特許文献１及び２参照。）。
【０００３】
【特許文献１】
特開平７−８５８５８号公報　（第２−４頁、図１）
【０００４】
【特許文献２】
特開２０００−３４０２１４号公報　（第２−４頁、図１）
【０００５】
【発明が解決しようとする課題】
ところで、従来のバッテリ端子カバーにおいては、特開２０００−３４０２１４号公報に開示されるものがある。
【０００６】
そして、特開２０００−３４０２１４号公報に開示されるものを使用する場合には、先ず、バッテリ端子カバーをハーネス側端子に取り付けておき、次に、ハーネス側端子にバッテリ端子カバーが取り付けられた状態で、バッテリのプラス端子に嵌合させ、その後、ナットを締め込んでハーネス側端子をバッテリ端子カバーへ固定する。
【０００７】
このとき、特開２０００−３４０２１４号公報に開示されるものは、バッテリ端子カバーの蓋部を開けた状態を保持する機能が不十分であることにより、上方からでは、ハーネス側端子やナットの状態を確認することができない。
【０００８】
この結果、ナットに締付工具を挿入する時に、ハーネス側端子やナットの状態を確認するためには、手で蓋部を開ける必要があり、使い勝手が悪いという不都合がある。
【０００９】
また、上述した特開２０００−３４０２１４号公報に開示されるものには、段落番号［００１１］に、「…バッテリ端子２を露出させてその締め付け作業を可能にするような開放位置に保持される…」旨の記載がありますが、「カバー片１Ｂ」を保持する保持力は非常に弱いものであり、端子やナットの状態を上方から確認することができないという不都合がある。
【００１０】
【課題を解決するための手段】
そこで、この発明は、上述不都合を除去するために、電線部とバッテリポール端子に接続される接続部とを備えたバッテリ端子の前記電線部を覆うベース部と、前記接続部を覆う蓋部と、この蓋部とベース部とを連結し、かつばね部材を備えた連結部とから構成されたことを特徴とする。
【００１１】
【発明の実施の形態】
上述の如く発明したことにより、ばね部材を備えた連結部によって、バッテリ端子カバーの蓋部の開閉時の節度感を向上させるととともに、ばね部材の跳ね上げ機能によって、バッテリ端子カバーの蓋部の開放時と閉鎖時との差を大とし、バッテリ端子カバーの蓋部の閉じ忘れ防止機能を向上させている。
【００１２】
【実施例】
以下図面に基づいてこの発明の実施例を詳細に説明する。
【００１３】
図１〜図９はこの発明の実施例を示すものである。２はバッテリ端子カバー、４はバッテリ端子である。
【００１４】
先ず、バッテリ端子カバー２の対象となるバッテリ端子４について説明すると、バッテリ端子４は、図４、図７、図９に夫々示す如く、例えば導電性金属からなり、電線部６と、この電線部６の先端部位を皮剥ぎして露出させた芯線６ａをかしめる電線固定部８と、バッテリポール端子Ｐに接続される接続部１０とを備えている。
【００１５】
そして、この接続部１０は、バッテリポール端子Ｐを締め付けるために、内部に先端側が先細り形状となった円筒状の接続嵌部（図示せず）を有する。この接続嵌部は、前記電線固定部８の取付部位と対峙する位置に一対の突出片１２が設けられており、一対の突出片１２には、一対の突出片１２の間隙を減少させて接続嵌部を縮径し、バッテリポール端子Ｐを締め付けるためのナット１４が設けられている。
【００１６】
前記バッテリ端子カバー２は、全体が合成樹脂材料によって一体成形され、前記電線部６を覆うベース部１６と、前記接続部１０を覆う蓋部１８と、この蓋部１８とベース部１６とを連結する連結部２０とから構成される。
【００１７】
そして、前記ベース部１６は、底面及び側面が開口して全体が断面逆Ｕ字形状に形成され、その底面側開口より前記バッテリ端子４の接続部１０と電線固定部８と電線部６の一部とを嵌入可能としている。
【００１８】
また、前記ベース部１６において、バッテリ端子４の接続部１０を嵌入する前端部には、前記接続嵌部を収容するために、幅広の嵌部保持部２２が形成される。このとき、嵌部保持部２２の内壁は、締付前の状態の接続嵌部の外周が密着できる程度の大きさに形成される。なお、前記前記ベース部１６において、嵌部保持部２２よりも後部側は、前記バッテリ端子４の電線固定部８と同程度の幅に形成される。
【００１９】
更に、前記ベース部１６の中央部位において、一方の側壁の下端には、接続腕（図示せず）を介して図示しない閉止蓋が設けられ、接続腕を中心として閉止蓋を回動させ、閉止蓋の先端側に設けられる係止具（図示せず）によってベース部１６の中央部位の開口部位を下方から閉止し、このベース部１６の中央部位に収容される前記バッテリ端子４の電線固定部８の抜け止めを果たしている。
【００２０】
前記バッテリ端子カバー２の蓋部１８は、図１に示す如く、前記ベース部１６の嵌部保持部２２、前記接続部１０の突出片１２及びナット１４の収容可能な大きさに形成される拡幅部１８ａと、前記ベース部１６の中央部位の収容可能な大きさに形成される基部１８ｂとからなる。
【００２１】
そして、前記蓋部１８の内面には、図２、図５に夫々示す如く、先端部位を爪形状とした一対の係止爪２４が設けられ、この係止爪２４は、前記拡幅部１８ａ内において、基部１８ｂとの境界側近傍に、蓋部１８底部の開口部位に指向すべく形成される。このとき、前記蓋部１８の内面と前記一対の係止爪２４との間には、間隙Ｓが現出され、一対の係止爪２４の撓み変形を担保するための空間として機能する。
【００２２】
そして、一対の係止爪２４を係止させるための係止凹部２６は、前記ベース部１６の嵌部保持部２２の外周部位に形成される。このとき、係止凹部２６には上縁にテーパ部２６ａが形成され、蓋部１８を強く開放操作した際に、係止爪２４と係止凹部２６との係止状態が強制的に解除可能な形状となっている。
【００２３】
前記連結部２０は、ばね部材２８を備えている。
【００２４】
詳述すれば、連結部２０は、図１に示す如く、蓋部１８とベース部１６とを連絡するばね部材２８と、蓋部１８の開閉を支持するヒンジ３０と、このヒンジ３０の補強を行うために肉厚状態とした補強部３２とを有している。
【００２５】
そして、前記ばね部材２８は、蓋部１８とベース部１６とが係止された状態と、この係止状態が解除され自動的にバッテリ端子４上方で停止した状態とがなす角度が９０度以上となるように設定される。
【００２６】
すなわち、前記一対の係止爪２４と係止凹部２６とが係止している状態、つまり図２〜図４に夫々示す蓋部１８の回転開始時の状態から、後述する操作片３６を操作（図３の黒太矢印参照）して係止爪２４と係止凹部２６との係止状態を解除した状態、つまり図５〜図７に夫々示すロック解除時の状態に至った後は、前記ばね部材２８の付勢力によって、図８及び図９に示す回転終了時の状態に自動的になるものである。このとき、例えば、ベース部１６に対する蓋部１８の角度は１１７度前後となる。
【００２７】
なお、符号３４は、前記一対の係止爪２４の成形時の型抜き用開口部、３６は前記蓋部１８の回動先端に設けられる操作片である。
【００２８】
次に作用を説明する。
【００２９】
前記バッテリ端子カバー２は、図８及び図９に示す回転終了時の状態で納入される。そして、納入されたバッテリ端子カバー２にバッテリ端子４を収容させた後、バッテリ端子４の接続部１０をバッテリポール端子Ｐに嵌合させ、バッテリ端子４の接続部１０に設けられた一対の突出片１２の間隙をナット１４により減少させて接続嵌部を縮径し、バッテリポール端子Ｐを締め付ける。
【００３０】
この締付作業の際には、バッテリ端子カバー２の蓋部１８は、前記ばね部材２８の付勢力によって、図８及び図９に示す回転終了時の状態が自動的に維持されている。
【００３１】
なお、従来のものは、この締付作業の際に、バッテリ端子カバー２の蓋部１８が、図８及び図９に示す回転終了時の状態に維持されておらず、横方向からバッテリ端子４やナット１４を確認するか、あるいは手で蓋部１８を上方へ上げながら工具を使用してナット１４を操作しなければならない状態にある。
【００３２】
本実施例のものにおいて、上述した締付作業が終了した後には、前記ばね部材２８の付勢力に抗して、バッテリ端子カバー２の蓋部１８を回転させ、蓋部１８に形成した一対の係止爪２４をベース部１６に形成した係止凹部２６に係止させて係止状態（図２〜図４参照）とすればよいものである。
【００３３】
これにより、ばね部材２８を備えた連結部２０によって、バッテリ端子カバー２の蓋部１８の開閉時の節度感を向上させることができるととともに、前記ばね部材２８の付勢力による跳ね上げ機能によって、バッテリ端子カバー２の蓋部１８の開放時と閉鎖時との差が大きいため、バッテリ端子カバー２の蓋部１８の閉じ忘れ防止機能を向上させることができ、実用上有利である。
【００３４】
また、前記ばね部材２８を、蓋部１８とベース部１６とが係止された状態と、この係止状態が解除され自動的にバッテリ端子４上方で停止した状態とがなす角度が９０度以上となるように設定したことにより、バッテリ端子４のバッテリポール端子Ｐへの接続時には、バッテリ端子カバー２の蓋部１８が前記ばね部材２８の付勢力によって上方に跳ね上げられることとなり、締付部位の確認が上方から容易となるため、締付作業の作業性を向上させることができる。
【００３５】
なお、この発明は上述実施例に限定されるものではなく、種々の応用改変が可能である。
【００３６】
例えば、この発明の実施例においては、ばね部材２８を備えた連結部２０によって、バッテリ端子カバー２の蓋部１８を開放側へ跳ね上げ、蓋部１８を開放状態に保持する構成としたが、前記ばね部材２８を備えた連結部２０と共に、あるいは前記ばね部材２８を備えた連結部２０の代わりに、バッテリ端子カバー２の蓋部１８の開度維持手段４２を設ける特別構成とすることも可能である。
【００３７】
すなわち、バッテリ端子カバー２のベース部１６と蓋部１８とのいずれか一方、例えば蓋部１８において、この蓋部１８の回動中心側端部の両側壁４４に前記開度維持手段４２を設ける。
【００３８】
この開度維持手段４２としては、図１０に示す如く、側壁４４の端部からベース部１６の側壁４６部位に向かって傾斜状態に延びる一対の開度維持腕部４８を設け、一対の開度維持腕部４８の端部をベース部１６の側壁４６部位に押圧させ、押圧時に発生する摩擦力によってバッテリ端子カバー２の蓋部１８を所定の開度状態に維持するものである。
【００３９】
さすれば、前記開度維持腕部４８によって、バッテリ端子カバー２の蓋部１８を所定の、つまり無段階の開度状態に維持することができ、締付部位の確認や締付作業時の作業性の向上に寄与し得るとともに、バッテリ端子カバー２の蓋部１８を閉じた際には、ベース部１６の側壁４６部位に開度維持腕部４８が位置することとなり、開度維持腕部４８が邪魔部材となるおそれがないものである。
【００４０】
また、図１１に示す新たな開度維持手段５２を設ける特別構成とすることも可能である。
【００４１】
すなわち、バッテリ端子カバー２のベース部１６の両側壁５４に外側方向に突出する第１突出部５６を設けるとともに、バッテリ端子カバー２の蓋部１８の両側壁５８の端部を延長させ、この延長部位に内側方向に突出し、第１突出部５６に接触する第２突出部６０を設け、第１、第２突出部５６、６０の接触面部位を、細かな凹凸形状を有する状態とする。
【００４２】
さすれば、前記開度維持手段５２を構成する第１、第２突出部５６、６０の細かな凹凸形状を有する接触面部位によって、バッテリ端子カバー２の蓋部１８を所定の、つまり無段階の開度状態に確実に維持することができ、締付部位の確認や締付作業時の作業性の向上に寄与し得るとともに、バッテリ端子カバー２の蓋部１８を閉じた際には、ベース部１６の側壁５４の内側に開度維持手段５２が位置することとなり、開度維持腕部５２が邪魔部材となるおそれがない。
【００４３】
【発明の効果】
以上詳細に説明した如くこの本発明によれば、電線部とバッテリポール端子に接続される接続部とを備えたバッテリ端子の電線部を覆うベース部と、接続部を覆う蓋部と、この蓋部とベース部とを連結し、かつばね部材を備えた連結部とから構成されたことにより、ばね部材を備えた連結部によって、バッテリ端子カバーの蓋部の開閉時の節度感を向上させることができるととともに、前記ばね部材の付勢力による跳ね上げ機能によって、バッテリ端子カバーの蓋部の開放時と閉鎖時との差が大きいため、バッテリ端子カバーの蓋部の閉じ忘れ防止機能を向上させることができ、実用上有利である。
【図面の簡単な説明】
【図１】この発明の実施例を示すバッテリ端子カバーの斜視図である。
【図２】図３のＡ−Ａ線による断面図である。
【図３】バッテリ端子カバーの蓋部の回転開始時の状態、且つバッテリ端子を省略した状態を示す概略断面図である。
【図４】バッテリ端子カバーの蓋部の回転開始時の状態を示す概略断面図である。
【図５】図６のＢ−Ｂ線による断面図である。
【図６】バッテリ端子カバーの蓋部のロック解除時の状態、且つバッテリ端子を省略した状態を示す概略断面図である。
【図７】バッテリ端子カバーの蓋部のロック解除時の状態を示す概略断面図である。
【図８】バッテリ端子カバーの蓋部の回転終了時の状態、且つバッテリ端子を省略した状態を示す概略断面図である。
【図９】バッテリ端子カバーの蓋部の回転終了時の状態を示す概略断面図である。
【図１０】この発明の他の第１の実施例を示すバッテリ端子カバーの概略斜視図である。
【図１１】この発明の他の第２の実施例を示すバッテリ端子カバーの要部拡大断面図である。
【符号の説明】
２　バッテリ端子カバー
４　バッテリ端子
６　電線部
８　電線固定部
１０　接続部
Ｐ　バッテリポール端子
１６　ベース部
１８　蓋部
２０　連結部
２２　嵌部保持部
２４　一対の係止爪
２６　係止凹部
２８　ばね部材
３０　ヒンジ
【図１】
2004119340.tif 000003
【図２】
2004119340.tif 000004
【図３】
2004119340.tif 000005
【図４】
2004119340.tif 000006
【図５】
2004119340.tif 000007
【図６】
2004119340.tif 000008
【図７】
2004119340.tif 000009
【図８】
2004119340.tif 000010
【図９】
2004119340.tif 000011
【図１０】
2004119340.tif 000012
【図１１】
2004119340.tif 000013